(57)【要約】【課題】配線に伴う工事を簡略化できる開閉器箱を得ること。【解決手段】ブレーカボックス１３は、商用系統１に接続される電力引込み配線を接続する主幹用漏電ブレーカ２と、主幹用漏電ブレーカ２とＥＶ−ＰＣＳ６との間を接続または分離する保守用ブレーカ３と、主幹用漏電ブレーカ２と宅内負荷３０との間を接続し、またはＥＶ−ＰＣＳ６と宅内負荷３０との間を接続する切替器７ａと、ＥＶ−ＰＣＳ６とＰＶ−ＰＣＳ１２との間を接続し、またはＰＶ−ＰＣＳ１２と宅内負荷３０との間を接続する切替器７ｂと、ＰＶ−ＰＣＳ１２に接続される配線を接続するＰＶ−ＰＣＳ用ブレーカ１４と、主幹用漏電ブレーカ２、保守用ブレーカ３、切替器７ａ、切替器７ｂおよびＰＶ−ＰＣＳ用ブレーカ１４を収める筐体１８とを備える。【選択図】図１
2017127137.tif 000002
【特許請求の範囲】
【請求項１】
商用系統に接続される電力引込み配線を接続する第１の開閉器と、
前記第１の開閉器と電気自動車用パワーコンディショナとの間を接続または分離する第２の開閉器と、
前記第１の開閉器と宅内負荷との間を接続し、または電気自動車用パワーコンディショナと宅内負荷との間を接続する第１の切替器と、
前記電気自動車用パワーコンディショナと太陽電池パワーコンディショナとの間を接続し、または太陽電池パワーコンディショナと前記宅内負荷との間を接続する第２の切替器と、
前記太陽電池パワーコンディショナに接続される配線を接続する第３の開閉器と、
前記第１の開閉器、前記第２の開閉器、前記第１の切替器、前記第２の切替器および前記第３の開閉器を収める筐体と、
を備えたことを特徴とする開閉器箱。
【請求項２】
前記筐体は、防水構造を有することを特徴とする請求項１に記載の開閉器箱。
【請求項３】
請求項１または請求項２に記載の開閉器箱と、
防水構造を有する前記太陽電池パワーコンディショナと、
を備えたことを特徴とする電力供給システム。
【発明の詳細な説明】
【技術分野】
【０００１】
本発明は、開閉器箱および電力供給システムに関する。
【背景技術】
【０００２】
近年、太陽光発電設備から供給される電力、または深夜の電気料金が安い時間帯に供給される電力を、定置用蓄電池または電気自動車（Ｅｌｅｃｔｒｉｃ  Ｖｅｈｉｃｌｅ：ＥＶ）に搭載された蓄電池に充電して、朝、夕方、または昼間の電気料金が高い時間帯に、蓄電池に充電された電気エネルギーを宅内負荷に供給する電力供給システムが普及しつつある。
【０００３】
電力供給システムでは、商用系統の停電時に蓄電池に蓄えられた電力が宅内負荷へ供給されるため、停電時でも宅内負荷の使用が可能である。
【０００４】
特許文献１には、停電時において蓄電池に蓄えられた電力を放電する自立運転時においても、商用系統が停電していないときに宅内負荷へ供給されていた電力と同等の電力を供給する電力供給装置が提案されている。
【０００５】
特許文献１に記載の電力供給装置は、商用系統と連系しながら、商用系統から供給される電力と蓄電池に蓄積された電力とを用いて宅内負荷に電力を供給し、商用系統が停電した場合、商用系統連系時から使用中の宅内負荷へ継続的に電力を供給可能である。
【０００６】
また、特許文献１に記載の電力供給装置では、住宅用分電盤を介して商用系統が接続される第１の端子と、住宅用分電盤を介して宅内負荷が接続される第２の端子と、商用系統の電圧を監視する商用系統電圧監視手段と、停電時に第１の端子と第２の端子との間を解列する電磁接触器と、蓄電池と接続され、蓄電池への充放電を行う双方向電力変換手段と、双方向電力変換手段側から第１の端子側への逆潮流を検出する変流器と、商用系統電圧監視手段の監視結果と変流器の検出結果とに基づいて、電磁接触器および双方向電力変換手段を制御する制御手段とが、１つの筐体に収められている。
【０００７】
特許文献１に記載の電力供給装置では、住宅用分電盤内の主幹漏電遮断器に、商用系統に接続される電力引込み配線が接続される。
【０００８】
また、特許文献１に記載の電力供給装置では、住宅用分電盤内の主幹漏電遮断器の負荷側端子と、電力供給装置の第１の端子との間に、主回路配線が配線される。
【０００９】
また、特許文献１に記載の電力供給装置では、電力供給装置の第２の端子と、住宅用分電盤内の分岐ブレーカの電源側端子との間に、主回路配線が配線される。
【先行技術文献】
【特許文献】
【００１０】
【特許文献１】特開２０１５−６０４４号公報
【発明の概要】
【発明が解決しようとする課題】
【００１１】
特許文献１に記載の電力供給装置では、パワーコンディショナが屋外に設置され、住宅用分電盤は宅内に設置される。
【００１２】
そして特許文献１によれば、住宅用分電盤には電力引込み配線だけでなく２つの主回路配線が接続される。従って屋外と屋内との間には３つ以上の配線を敷設する必要があり、これらの配線を敷設する工事だけでなく、これらの配線を引き込むための貫通穴を住宅に設ける工事が発生する可能性がある。
【００１３】
本発明は、上記に鑑みてなされたものであって、配線に伴う工事を簡略化できる開閉器箱を得ることを目的とする。
【課題を解決するための手段】
【００１４】
上述した課題を解決し、目的を達成するために、本発明の開閉器箱は、商用系統に接続される電力引込み配線を接続する第１の開閉器と、第１の開閉器と電気自動車用パワーコンディショナとの間を接続または分離する第２の開閉器と、第１の開閉器と宅内負荷との間を接続し、または電気自動車用パワーコンディショナと宅内負荷との間を接続する第１の切替器と、を備える。また本発明の開閉器箱は、電気自動車用パワーコンディショナと太陽電池パワーコンディショナとの間を接続し、または太陽電池パワーコンディショナと宅内負荷との間を接続する第２の切替器と、太陽電池パワーコンディショナに接続される配線を接続する第３の開閉器と、第１の開閉器、第２の開閉器、第１の切替器、第２の切替器および第３の開閉器を収める筐体と、を備えることを特徴とする。
【発明の効果】
【００１５】
本発明によれば、配線に伴う工事を簡略化できるという効果を奏する。
【図面の簡単な説明】
【００１６】
【図１】本発明の実施の形態に係る開閉器箱と、開閉器箱を備えた電力供給システムとの構成例を示す図
【図２】ＥＶパワーコンディショナの保守点検時にブレーカボックス内のブレーカを切り替えた状態を示す図
【図３】図１に示すブレーカボックスの内部構成を示す図
【図４】本発明の実施の形態に係る電力供給システムに対する比較例を示す図
【発明を実施するための形態】
【００１７】
以下に、本発明の実施の形態にかかる開閉器箱および電力供給システムを図面に基づいて詳細に説明する。なお、この実施の形態によりこの発明が限定されるものではない。
【００１８】
実施の形態．
図１は本発明の実施の形態に係る開閉器箱と、開閉器箱を備えた電力供給システムとの構成例を示す図である。
【００１９】
電力供給システム１００は、開閉器箱であるブレーカボックス１３と、太陽電池１７で発電された電力をブレーカボックス１３へ供給する太陽電池パワーコンディショナ（Ｐｈｏｔｏ  Ｖｏｌｔｅｃ  Ｐｏｗｅｒ  Ｃｏｎｄｉｔｉｏｎｉｎｇ  Ｓｙｓｔｅｍ：ＰＶ−ＰＣＳ１２）とを備える。
【００２０】
また電力供給システム１００は、電気自動車用パワーコンディショナ（Ｅｌｅｃｔｒｉｃ  Ｖｅｈｉｃｌｅ  Ｐｏｗｅｒ  Ｃｏｎｄｉｔｉｏｎｉｎｇ  Ｓｙｓｔｅｍ：ＥＶ−ＰＣＳ６）を備える。
【００２１】
ＥＶ−ＰＣＳ６は、ＥＶ１０に搭載された蓄電池へ電力を供給し、または当該蓄電池に蓄えられた電力をブレーカボックス１３へ供給する。リモコン９は例えばＥＶ−ＰＣＳ６の動作条件など各種設定を行うものであり、ＥＶ−ＰＣＳ６の動作状況なども表示することができる。
【００２２】
ブレーカボックス１３には、屋外配線である配線ｇを介して、ホーム分電盤８が接続される。
【００２３】
ホーム分電盤８は、主幹ブレーカ２０と、主幹ブレーカ２０に接続される複数の分岐ブレーカ２１とを備える。
【００２４】
複数の分岐ブレーカ２１のそれぞれには宅内負荷３０が接続される。宅内負荷３０は、交流（Ａｌｔｅｒｎａｔｉｎｇ  Ｃｕｒｒｅｎｔ：ＡＣ）電力で駆動する機器である。宅内負荷３０の一例としては、冷蔵庫、照明、調理機器、電話、テレビ、またはオーディオである。
【００２５】
ブレーカボックス１３は、第１の開閉器である主幹用漏電ブレーカ２と、第２の開閉器である保守用ブレーカ３と、第１の切替器である切替器７ａと、第２の切替器である切替器７ｂと、第３の開閉器であるＰＶ−ＰＣＳ用ブレーカ１４とを備える。
【００２６】
またブレーカボックス１３は、主幹用漏電ブレーカ２と、保守用ブレーカ３と、切替器７ａと、切替器７ｂと、ＰＶ−ＰＣＳ用ブレーカ１４とを収める筐体１８を備える。
【００２７】
主幹用漏電ブレーカ２の一次側には、商用系統１に接続される電力引込み配線である配線ａが接続される。
【００２８】
主幹用漏電ブレーカ２の二次側には配線ｂが接続される。配線ｂはブレーカボックス１３の内部配線である。
【００２９】
主幹用漏電ブレーカ２の二次側は、配線ｂを介して、保守用ブレーカ３の一次側に接続される。
【００３０】
保守用ブレーカ３は、主幹用漏電ブレーカ２とＥＶ−ＰＣＳ６との間を接続または分離する開閉手段である。
【００３１】
保守用ブレーカ３の一次側には配線ｂおよび配線ｄが接続される。配線ｄはブレーカボックス１３の内部配線である。
【００３２】
保守用ブレーカ３の一次側は、配線ｂを介して主幹用漏電ブレーカ２の二次側に接続され、また配線ｄを介して切替器７ａの端子Ｉに接続される。
【００３３】
保守用ブレーカ３の二次側には配線ｃが接続される。配線ｃは筐体１８の外部に敷設される屋外配線である。
【００３４】
保守用ブレーカ３の二次側は、配線ｃを介して、ＥＶ−ＰＣＳ６の端子台ＴＢ１に接続される。
【００３５】
保守用ブレーカ３は、ＥＶ−ＰＣＳ６の保守点検のため、配線ｃを端子台ＴＢ１から取り外す際、主幹用漏電ブレーカ２とＥＶ−ＰＣＳ６との間の配線経路を開路するために設けられる。すなわち保守用ブレーカ３は、商用系統１の電圧が端子台ＴＢ１に印加されないようにするために設けられる。
【００３６】
切替器７ａは、主幹用漏電ブレーカ２と宅内負荷３０との間を接続し、またはＥＶ−ＰＣＳ６と宅内負荷３０との間を接続するための切替開閉手段である。
【００３７】
切替器７ａは、配線ｄが接続される端子Ｉと、配線ｅが接続される端子ＩＩと、配線ｆが接続される共通端子Ｃと、接点７ａ１とを備える。
【００３８】
配線ｅは、筐体１８の外部に敷設される屋外配線である。配線ｅは、切替器７ａの端子ＩＩと、ＥＶ−ＰＣＳ６の端子台ＴＢ２とを接続する。
【００３９】
配線ｆは、ブレーカボックス１３の内部配線である。配線ｆは、切替器７ａの共通端子Ｃと切替器７ｂの端子Ｉとを接続する。
【００４０】
切替器７ａは、端子Ｉまたは端子ＩＩに共通端子Ｃが接続されるように、接点７ａ１が切替可能に構成される。
【００４１】
商用系統１から電力が供給され、かつ、ＥＶ−ＰＣＳ６が正常に動作しているとき、切替器７ａの端子Ｉは共通端子Ｃから開放され、切替器７ａの端子ＩＩは共通端子Ｃに接続されている。
【００４２】
切替器７ｂは、ＰＶ−ＰＣＳ１２とＥＶ−ＰＣＳ６との間を接続し、またはＰＶ−ＰＣＳ１２と宅内負荷３０との間を接続するための切替開閉手段である。
【００４３】
切替器７ｂは、配線ｆおよび配線ｇが接続される端子Ｉと、配線ｈが接続される端子ＩＩと、配線ｉが接続される共通端子Ｃと、接点７ｂ１とを備える。
【００４４】
配線ｇは、筐体１８の外部に敷設される屋外配線である。
【００４５】
配線ｇの一端側は、ブレーカボックス１３の内部に引き込まれ、端子Ｉに接続される。
【００４６】
配線ｇの他端側は、ホーム分電盤８の内部に引き込まれ、ホーム分電盤８の主幹ブレーカ２０に接続される。
【００４７】
これにより、切替器７ａの共通端子Ｃは、切替器７ｂの端子Ｉに接続され、またホーム分電盤８の主幹ブレーカ２０に接続される。
【００４８】
配線ｈは、切替器７ｂの端子ＩＩとＥＶ−ＰＣＳ６の端子台ＴＢ３とを接続するために設けられる屋外配線である。
【００４９】
配線ｈの一端側は、ブレーカボックス１３の内部に引き込まれ、切替器７ｂの端子ＩＩに接続される。
【００５０】
配線ｈの他端側は、ＥＶ−ＰＣＳ６の端子台ＴＢ３に接続される。
【００５１】
配線ｉは、切替器７ｂの共通端子ＣとＰＶ−ＰＣＳ用ブレーカ１４の一次側とを接続する。
【００５２】
切替器７ｂは、端子Ｉまたは端子ＩＩに共通端子Ｃが接続されるように、接点７ｂ１が切替可能に構成される。
【００５３】
商用系統１から電力が供給され、かつ、ＥＶ−ＰＣＳ６が正常に動作しているとき、切替器７ｂの端子Ｉは共通端子Ｃから開放され、切替器７ｂの端子ＩＩは、共通端子Ｃに接続されている。
【００５４】
切替器７ｂの共通端子Ｃは、配線ｉを介して、ＰＶ−ＰＣＳ用ブレーカ１４に接続される。
【００５５】
ＰＶ−ＰＣＳ用ブレーカ１４は、ＰＶ−ＰＣＳ１２をブレーカボックス１３へ接続するための開閉手段である。
【００５６】
ＰＶ−ＰＣＳ用ブレーカ１４の二次側には配線ｊが接続される。配線ｊは、筐体１８の外部に敷設される屋外配線である。
【００５７】
次にＥＶ−ＰＣＳ６の構成を説明する。
【００５８】
ＥＶ−ＰＣＳ６は、解列用開閉器１５と、解列用開閉器１５に接続される変流器１６と、変流器１６に接続される電力変換器４と、制御回路５とを備える。
【００５９】
またＥＶ−ＰＣＳ６は、解列用開閉器１５に接続される端子台ＴＢ１と、変流器１６および電力変換器４に接続される端子台ＴＢ２と、解列用開閉器１５および変流器１６に接続される端子台ＴＢ３と、電力変換器４に接続されるコネクタ端子１９とを備える。
【００６０】
解列用開閉器１５は、商用系統１の停電時に使用者が自立運転への移行を選択した際、商用系統１とＥＶ−ＰＣＳ６との接続を切り離すための開閉手段である。解列用開閉器１５は、制御回路５により制御される。
【００６１】
変流器１６は、ＥＶ１０から供給される電力が商用系統１へ逆潮流することを防止するために設けられる。ＥＶ１０に搭載された蓄電池に蓄えられた電力は、通常、商用系統１へ売電できない。そのため電力変換器４から出力されるＡＣ電力が商用系統１側、すなわち端子台ＴＢ１へ流入すること防止するために変流器１６が設けられる。
【００６２】
電力変換器４は双方向電力変換手段である。電力変換器４は、商用系統１または太陽電池１７から供給されるＡＣ電力を直流（Ｄｉｒｅｃｔ  Ｃｕｒｒｅｎｔ：ＤＣ）電力に変換して出力する機能と、ＥＶ１０から供給されるＤＣ電力をＡＣ電力に変換して出力する機能とを有する。
【００６３】
電力変換器４のＡＣ端子側は、変流器１６を介して、解列用開閉器１５、端子台ＴＢ３および端子台ＴＢ２に接続される。
【００６４】
端子台ＴＢ３には配線ｈが接続される。これにより端子台ＴＢ３は、配線ｈを介して、切替器７ｂに接続される。
【００６５】
端子台ＴＢ２には配線ｅが接続される。これにより端子台ＴＢ２は、配線ｅを介して、切替器７ａに接続される。
【００６６】
ＥＶ−ＰＣＳ６の端子台ＴＢ３は、端子台ＴＢ２に接続されている。
【００６７】
この構成により、電力供給システム１００では、太陽電池１７の発電電力を、配線ｊ、ＰＶ−ＰＣＳ用ブレーカ１４、配線ｉ、切替器７ｂ、配線ｈ、端子台ＴＢ３、端子台ＴＢ２、配線ｅ、切替器７ａ、配線ｇ、主幹ブレーカ２０および分岐ブレーカ２１を介して、宅内負荷３０へ供給することもできる。
【００６８】
電力変換器４のＤＣ端子側は、コネクタ端子１９に接続される。コネクタ端子１９にはケーブル１１に付属するコネクタが接続される。ケーブル１１に付属するコネクタは、ＥＶ１０をＥＶ−ＰＣＳ６に接続するための専用のコネクタである。
【００６９】
以下に電力供給システム１００の動作を説明する。
【００７０】
（商用系統連系運転）
商用系統１が停電しておらず、かつ、ＥＶ−ＰＣＳ６が正常に動作しているときの商用系統連系運転時の動作を説明する。
【００７１】
商用系統１が停電しておらず、かつ、ＥＶ−ＰＣＳ６が正常に動作しているとき、主幹用漏電ブレーカ２、保守用ブレーカ３、切替器７ａ、切替器７ｂ、ＰＶ−ＰＣＳ用ブレーカ１４および解列用開閉器１５の状態は、以下の通りである。
（１）主幹用漏電ブレーカ２は閉じている。
（２）保守用ブレーカ３は閉じている。
（３）切替器７ａの端子ＩＩが共通端子Ｃに接続される。
（４）切替器７ｂの端子ＩＩが共通端子Ｃに接続される。
（５）ＰＶ−ＰＣＳ用ブレーカ１４は閉じている。
（６）解列用開閉器１５は閉じている。
【００７２】
このような状態において、商用系統１から供給されるＡＣ電力は、主幹用漏電ブレーカ２、保守用ブレーカ３、端子台ＴＢ１、解列用開閉器１５、端子台ＴＢ２、切替器７ａ、配線ｇ、主幹ブレーカ２０および分岐ブレーカ２１を介して、宅内負荷３０に供給される。
【００７３】
このとき、商用系統１の電圧は、端子台ＴＢ３、切替器７ｂおよびＰＶ−ＰＣＳ用ブレーカ１４を介して、ＰＶ−ＰＣＳ１２のＡＣ出力側に印加される。商用系統１の電圧を検出したＰＶ−ＰＣＳ１２は商用系統連系運転を行う。
【００７４】
一方、商用系統１から供給されるＡＣ電力は、主幹用漏電ブレーカ２、保守用ブレーカ３、端子台ＴＢ１および解列用開閉器１５を介して、電力変換器４にも供給される。
【００７５】
電力変換器４では、商用系統１から供給されるＡＣ電力がＤＣ電力に変換される。変換されたＤＣ電力は、コネクタ端子１９に接続されたケーブル１１を介して、ＥＶ１０に搭載された蓄電池に供給される。これによりＥＶ１０に搭載された蓄電池が充電される。
【００７６】
（自立運転）
商用系統１が停電し、かつ、ＥＶ−ＰＣＳ６が正常に動作しているときの自立運転時の動作を説明する。
【００７７】
商用系統１が停電し、かつ、ＥＶ−ＰＣＳ６が正常に動作しているとき、主幹用漏電ブレーカ２、保守用ブレーカ３、切替器７ａ、切替器７ｂ、ＰＶ−ＰＣＳ用ブレーカ１４および解列用開閉器１５の状態は、以下の通りである。
（１）主幹用漏電ブレーカ２は閉じている。
（２）保守用ブレーカ３は閉じている。
（３）切替器７ａの端子ＩＩが共通端子Ｃに接続される。
（４）切替器７ｂの端子ＩＩが共通端子Ｃに接続される。
（５）ＰＶ−ＰＣＳ用ブレーカ１４は閉じている。
（６）解列用開閉器１５は、商用系統１が停電したときに開放される。
【００７８】
ＥＶ−ＰＣＳ６内の制御回路５は、商用系統１が停電したことを検出したとき、自立運転への移行を確認するメッセージ情報をリモコン９へ送信する。当該メッセージ情報を受信したリモコン９には、使用者に対して、自立運転への移行を確認するための情報が表示される。
【００７９】
使用者がリモコン９において自立運転への移行を選択する操作を行うことにより、制御回路５は、解列用開閉器１５を開放する指令を出力する。これによりＥＶ−ＰＣＳ６と商用系統１との接続が開放される。
【００８０】
その後、停電が検出された電力変換器４では、ＥＶ１０に搭載された蓄電池のＤＣ電力がＡＣ電力に変換される。
【００８１】
変換されたＡＣ電力は、端子台ＴＢ２、切替器７ａ、切替器７ｂ、配線ｇ、主幹ブレーカ２０および分岐ブレーカ２１を介して、宅内負荷３０に供給される。
【００８２】
宅内負荷３０には、非停電時に供給されていた電力と同様の電力が、停電時にも供給される。このように電力供給システム１００は、ＡＣ電力を宅内負荷３０に供給して運転を継続する自立運転を行うことができる。
【００８３】
なお、自立運転時に電力変換器４から出力されたＡＣ電力の電圧は、端子台ＴＢ３、切替器７ｂおよびＰＶ−ＰＣＳ用ブレーカ１４を介して、ＰＶ−ＰＣＳ１２のＡＣ出力側にも印加される。
【００８４】
ＡＣ電力の電圧を検出したＰＶ−ＰＣＳ１２は、商用系統１が復旧したものと判断し、電力変換器４から出力されるＡＣ電圧に連携してＡＣ電力を出力する。
【００８５】
これにより、停電時において、太陽電池１７で発電された電力を宅内負荷３０に供給することもできる。
【００８６】
次に、ＥＶ−ＰＣＳ６を保守点検する際の電力供給システム１００の動作を説明する。
【００８７】
図２はＥＶパワーコンディショナの保守点検時にブレーカボックス内のブレーカを切り替えた状態を示す図である。
【００８８】
ＥＶ−ＰＣＳ６の保守点検時は、ブレーカボックス１３内の保守用ブレーカ３は開放される。また切替器７ａ，７ｂのそれぞれの接点７ａ１，７ｂ１が端子Ｉ側へ切替えられる。
【００８９】
これにより、ＥＶ−ＰＣＳ６の端子台ＴＢ１、端子台ＴＢ２および端子台ＴＢ３には、商用系統１から供給されるＡＣ電力の電圧が印加されなくなる。
【００９０】
そのため端子台ＴＢ１、端子台ＴＢ２および端子台ＴＢ３のそれぞれから配線ｃ，ｅ，ｈを取り外す際、活線作業とならず、安全に配線ｃ，ｅ，ｈの取り外しができる。
【００９１】
また、切替器７ａの接点７ａ１を端子Ｉ側に切り替えることで、商用系統１のＡＣ電力は、主幹用漏電ブレーカ２および切替器７ａを介して、宅内負荷３０に供給される。
【００９２】
さらに切替器７ｂの接点７ｂ１を端子Ｉ側に切替えることで、商用系統１から供給されるＡＣ電力の電圧は、主幹用漏電ブレーカ２、切替器７ａ、切替器７ｂおよびＰＶ−ＰＣＳ用ブレーカ１４を介して、ＰＶ−ＰＣＳ１２に印加される。
【００９３】
これにより商用系統１の電圧を検出したＰＶ−ＰＣＳ１２は、商用系統連系運転を行うことができる。
【００９４】
すなわち、ＥＶ−ＰＣＳ６の保守点検時にも、商用系統１のＡＣ電力を宅内負荷３０に供給できるとともに、商用系統連系運転を継続して行うことができる。
【００９５】
次に図３を用いて図１に示すブレーカボックス１３の内部構成を詳細に説明する。
【００９６】
図３は図１に示すブレーカボックスの内部構成を示す図である。
【００９７】
ブレーカボックス１３の筐体１８の中には、主幹用漏電ブレーカ２、保守用ブレーカ３、切替器７ａ、切替器７ｂおよびＰＶ−ＰＣＳ用ブレーカ１４が設置される。
【００９８】
図示例では筐体１８が長方形に形成されている。
【００９９】
主幹用漏電ブレーカ２、保守用ブレーカ３、切替器７ａ、切替器７ｂおよびＰＶ−ＰＣＳ用ブレーカ１４は、筐体１８の左側から主幹用漏電ブレーカ２、保守用ブレーカ３、切替器７ａ、切替器７ｂおよびＰＶ−ＰＣＳ用ブレーカ１４の順で配置されている。
【０１００】
破線で示す配線は、ブレーカボックス１３の筐体１８の外部に敷設される屋外配線である。実線で示す配線は、ブレーカボックス１３の内部配線である。
【０１０１】
配線ａは、主幹用漏電ブレーカ２の一次側に接続される。
【０１０２】
配線ｂの一端は主幹用漏電ブレーカ２の二次側に接続され、配線ｂの他端は保守用ブレーカ３の一次側に接続される。
【０１０３】
配線ｃの一端は保守用ブレーカ３の二次側に接続され、配線ｃの他端は図１に示すＥＶ−ＰＣＳ６の端子台ＴＢ１に接続される。
【０１０４】
配線ｄの一端は保守用ブレーカ３の一次側に接続され、配線ｄの他端は切替器７ａの端子Ｉに接続される。
【０１０５】
配線ｅの一端は切替器７ａの端子ＩＩに接続され、配線ｅの他端は図１に示すＥＶ−ＰＣＳ６の端子台ＴＢ２に接続される。
【０１０６】
配線ｆの一端は切替器７ａの共通端子Ｃに接続され、配線ｆの他端は切替器７ｂの端子Ｉに接続される。
【０１０７】
配線ｇの一端は切替器７ｂの端子Ｉに接続され、配線ｇの他端は図１に示すホーム分電盤８内の主幹ブレーカ２０に接続される。
【０１０８】
配線ｈの一端は切替器７ｂの端子ＩＩに接続され、配線ｈの他端は図１に示すＥＶ−ＰＣＳ６の端子台ＴＢ３に接続される。
【０１０９】
配線ｉの一端は切替器７ｂの共通端子Ｃに接続され、配線ｉの他端はＰＶ−ＰＣＳ用ブレーカ１４の一次側に接続される。
【０１１０】
配線ｊの一端はＰＶ−ＰＣＳ用ブレーカ１４の二次側に接続され、配線ｊの他端は図１に示すＰＶ−ＰＣＳ１２に接続される。
【０１１１】
図３の例では、ホーム分電盤８への配線工事のし易さを考慮して、屋外配線である配線ｇが切替器７ｂの端子Ｉに接続されている。ただし配線ｇの接続箇所は、これに限定されず、切替器７ａの共通端子Ｃでもよいし、配線ｆの途中に接続してもよい。
【０１１２】
図４は本発明の実施の形態に係る電力供給システムに対する比較例を示す図である。
【０１１３】
図４に示す電力供給システム１００Ａは以下のように構成されている。
（１）商用系統１に接続される電力引込み用の配線は、主幹用漏電ブレーカ２に接続される。
（２）主幹用漏電ブレーカ２の二次側は、保守用ブレーカ３の一次側に接続される。
（３）保守用ブレーカ３の二次側は、屋外配線を介して、ＥＶ−ＰＣＳ６の端子台ＴＢ１に接続される。
（４）屋外に設置されるＥＶ−ＰＣＳ６の端子台ＴＢ２は、屋外配線を介して、屋内に設置されるホーム分電盤８に接続される。
（５）ＥＶ−ＰＣＳ６の端子台ＴＢ３は、屋外配線およびＰＶ−ＰＣＳ用ブレーカ１４を介して、屋内に設置されるＰＶ−ＰＣＳ１２に接続される。
（６）屋外に設置される太陽電池１７は、接続箱２４を介してＰＶ−ＰＣＳ１２に接続される。
【０１１４】
図４に示す電力供給システム１００Ａでは、電力引込み用の配線が主幹用漏電ブレーカ２に接続される。
【０１１５】
また、保守用ブレーカ３と端子台ＴＢ１とが屋外配線で接続され、端子台ＴＢ２とホーム分電盤８とが屋外配線で接続され、端子台ＴＢ３とＰＶ−ＰＣＳ用ブレーカ１４とが屋外配線で接続される。
【０１１６】
電力供給システム１００Ａでは、４つ以上の屋外配線を住宅に引き込む必要がある。そのため、住宅にこれらの配線を引き込むための貫通穴を設ける工事が発生する可能性がある。従って、多額の工事費用を費やすだけでなく、長い工期を要する可能性がある。
【０１１７】
一方、商用系統１からホーム分電盤８までの幹線用配線は、ＥＶ−ＰＣＳ６の内部を経由するため、ＥＶ−ＰＣＳ６の保守点検時には、ＥＶ−ＰＣＳ６に接続される配線が外されると、商用系統１の商用電力を宅内負荷に供給することができなくなる。
【０１１８】
またＥＶ−ＰＣＳ６に接続される配線が外されると、ＰＶ−ＰＣＳ１２の交流出力側にも商用系統１が接続されないため、系統連系運転をすることができなくなる。
【０１１９】
そのため、電力供給システム１００Ａでは、ＥＶ−ＰＣＳ６の保守点検時に切替器７ａを設けて、主幹用漏電ブレーカ２と切替器７ａとの間に、バイパス用配線２２を敷設する必要がある。
【０１２０】
また電力供給システム１００Ａでは、ＥＶ−ＰＣＳ６の保守点検時に、切替器７ｂを設けて、切替器７ｂとホーム分電盤８との間に、バイパス用配線２３を敷設する必要がある。
【０１２１】
これに対して本発明の実施の形態に係る電力供給システム１００は、主幹用漏電ブレーカ２、保守用ブレーカ３、切替器７ａ、切替器７ｂおよびＰＶ−ＰＣＳ用ブレーカ１４を、ブレーカボックス１３の筐体１８内に収納する構造である。
【０１２２】
これにより、複雑に見えるブレーカ類および開閉器類の配線が簡略化され、保守点検時に、バイパス用配線２２，２３を敷設する作業と切替開閉器を設置する作業とが不要になる。
【０１２３】
また本発明の実施の形態に係る電力供給システム１００では、配線ａ，ｃ，ｅ，ｈ，ｊ，ｇをブレーカボックス１３に接続するだけでよく、ＥＶ−ＰＣＳ６の保守時にバイパス用配線２２，２３を敷設する必要がない。
【０１２４】
従って電力供給システム１００Ａに比べて、配線工事を簡単に行うことができる。
【０１２５】
また本発明の実施の形態に係るブレーカボックス１３では、屋外に設置可能な防水構造を有する筐体１８が用いられている。
【０１２６】
そのため、電力会社が配線する引込用の配線ａを屋内に引き込むことなく、屋外に設置したブレーカボックス１３内の受電用の主幹用漏電ブレーカ２に接続することができる。
【０１２７】
またブレーカボックス１３およびＥＶ−ＰＣＳ６は、屋外に設置されるため、ＥＶ−ＰＣＳ６へ接続する配線ｃ，ｅ，ｈの配線工事は屋外で実施できる。また屋内に引き込む配線は、ブレーカボックス１３からホーム分電盤８への配線工事は、１つの配線ｇのみでよい。
【０１２８】
従って、家の壁に施す貫通穴は、１つの配線ｇ分の大きさで済みため、屋内と屋外を貫通する配線工事を安価に実施できる。
【０１２９】
また図４に示す電力供給システム１００Ａでは、屋内用のＰＶ−ＰＣＳ１２が用いられており、太陽電池１７とＰＶ−ＰＣＳ１２を接続する配線を、家の壁に貫通させる必要がある。
【０１３０】
本発明の実施の形態に係る電力供給システム１００では、屋外仕様のＰＶ−ＰＣＳ１２が用いられている。そのため、ＰＶ−ＰＣＳ１２のＡＣ出力とＰＶ−ＰＣＳ用ブレーカ１４との接続は、屋外配線である配線ｊで可能である。
【０１３１】
従って、図４に示す電力供給システム１００Ａのように屋内と屋外を貫通させる配線工事が不要となり、配線工事が安価に実施できる。
【０１３２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１３３】
１  商用系統、２  主幹用漏電ブレーカ、３  保守用ブレーカ、４  電力変換器、５  制御回路、６  ＥＶ−ＰＣＳ、７ａ，７ｂ  切替器、７ａ１，７ｂ１  接点、８  ホーム分電盤、９  リモコン、１１  ケーブル、１２  ＰＶ−ＰＣＳ、１３  ブレーカボックス、１４  ＰＶ−ＰＣＳ用ブレーカ、１５  解列用開閉器、１６  変流器、１７  太陽電池、１８  筐体、１９  コネクタ端子、２０  主幹ブレーカ、２１  分岐ブレーカ、２２，２３  バイパス用配線、２４  接続箱、３０  宅内負荷、１００，１００Ａ  電力供給システム。
【図１】
2017127137.tif 000003
【図２】
2017127137.tif 000004
【図３】
2017127137.tif 000005
【図４】
2017127137.tif 000006